(57)【要約】【課題】  外郭部からの衝撃からプリント基板及びＬＥＤを保護して小型軽量化を図る。隣の光透過部へ光が漏れる現象を防いでＬＥＤ表示を見やすくする。【解決手段】  モータ１の回転を伝達する駆動部２と、モータ１の回転を指示するスイッチ部４と、上記モータ１、駆動部２、スイッチ部４をそれぞれ覆うハウジング５と、電動工具６の状態や設定をプリント基板１０上のＬＥＤにて表示する表示設定部９とを具備した可搬式電動工具６である。表示設定部９を覆う外郭部５ａに光が透過する光透過部１１を設ける。プリント基板１０と外郭部５ａの間に設けたスペースＳに絶縁性の緩衝部材１３を介在させると共にこの緩衝部材１３にＬＥＤ１４からの光を該ＬＥＤ１４と対向する外郭部５ａの光透過部１１のみに届くようにするための開口部１５を設ける。【選択図】        図１
2006000971.tif 000002
【特許請求の範囲】
【請求項１】
モータの回転を伝達する駆動部と、モータの回転を指示するスイッチ部と、上記モータ、駆動部、スイッチ部をそれぞれ覆うハウジングと、電動工具の状態や設定をプリント基板上のＬＥＤにて表示する表示設定部とを具備した可搬式電動工具であって、上記表示設定部を覆う外郭部に光が透過する光透過部が設けられ、プリント基板と外郭部の間に設けたスペースに絶縁性の緩衝部材を介在させると共にこの緩衝部材にＬＥＤからの光を該ＬＥＤと対向する外郭部の光透過部のみに届くようにするための開口部を設けたことを特徴とする可搬式電動工具。
【請求項２】
上記外郭部の光透過部周囲より壁状のリブが突設されると共に、緩衝部材の開口部の大きさを外郭部の光透過部の開口領域以下としたことを特徴とする請求項１記載の可搬式電動工具。
【請求項３】
上記外郭部と緩衝部材との間に隙間を設けたことを特徴とする請求項１又は請求項２記載の可搬式電動工具。
【発明の詳細な説明】
【技術分野】
【０００１】
本発明は、可搬式電動工具に関し、詳しくはボルト、ナット、或いは木ネジ締め等の締めつけ作業、及び金工、木工、モルタル、コンクリート等の穴あけ作業、金工、木工等の切断作業に使用する手持ち式の電動工具において、ＬＥＤ表示を行なう表示設定部を設ける技術に関するものである。
【背景技術】
【０００２】
従来、モータの回転数や、回転制御を行なう際の、作業完了状態の表示や、締め付け力の設定や、充電式であれば、電池の残容量等の表示は、プリント基板上に実装されたＬＥＤ（発光ダイオード）からの光を外郭部の光透過部に透過させるようにしている。ＬＥＤは振動やＯＮ／ＯＦＦ点灯の繰り返しに強いことから、可搬式電動工具の分野にも広く使用されている（例えば、特許文献１参照）。
【０００３】
しかし、ＬＥＤ１４同士が互いに近接している場合は、隣の光透過部１１へ光が漏れてしまい、表示が見え難くなる。その対策として、図７に示すように、外郭部５ａの光透過部１１周囲より壁状のリブ１６´をプリント基板１０近傍まで突出させる方法、もしくは、図８に示すディスクリートのＬＥＤ１４であれば、外郭部５ａの光透過部１１周囲より壁状のリブ１６´´をＬＥＤ１４を覆う位置まで突出させる方法等がある。なお図中の２１は表皮フィルムである。
【０００４】
ところが、転倒や落下等により外郭部５ａに衝撃がかかった場合は、外郭部５ａが変形してプリント基板１０もしくはＬＥＤ１４を破壊する恐れがある。このため従来では外郭部５ａの強度、プリント基板１０の強度、ＬＥＤ１４の接着強度をそれぞれ高める必要があり、小型軽量化が困難となっていた。
【特許文献１】特開２００３−２７５９７４号公報
【発明の開示】
【発明が解決しようとする課題】
【０００５】
本発明は上記の従来の問題点に鑑みて発明したものであって、外郭部からの衝撃を緩衝部材で吸収することでプリント基板及びＬＥＤを保護でき、これにより小型軽量化が容易となり、しかも緩衝部材によって隣の光透過部へ光が漏れる現象を防止でき、表示設定部のＬＥＤ表示を見やすくした可搬式電動工具を提供することを課題とするものである。
【課題を解決するための手段】
【０００６】
前記課題を解決するために本発明にあっては、モータ１の回転を伝達する駆動部２と、モータ１の回転を指示するスイッチ部４と、上記モータ１、駆動部２、スイッチ部４をそれぞれ覆うハウジング５と、電動工具６の状態や設定をプリント基板１０上のＬＥＤ１４にて表示する表示設定部９とを具備した可搬式電動工具であって、上記表示設定部９を覆う外郭部５ａに光が透過する光透過部１１が設けられ、プリント基板１０と外郭部５ａの間に設けたスペースＳに絶縁性の緩衝部材１３を介在させると共にこの緩衝部材１３にＬＥＤ１４からの光を該ＬＥＤ１４と対向する外郭部５ａの光透過部１１のみに届くようにするための開口部１５を設けたことを特徴としている。
【０００７】
このような構成とすることで、外郭部５ａからの衝撃を緩衝部材１３が吸収し、プリント基板１０及びＬＥＤ１４を保護できるので、従来のようにプリント基板１０もしくはＬＥＤ１４の破壊を防止するために外郭部５ａの強度、プリント基板１０の強度、ＬＥＤ１４の接着強度をそれぞれ高める必要がなくなり、小型軽量化が容易となる。また緩衝部材１３の開口部１５はＬＥＤ１４の光が隣接する光透過部１１に届かないようにして、隣の光透過部１１へ光が漏れる現象（ＬＥＤ表示の横映り）を防ぐことができるので、ＬＥＤ表示が見やすくなる。
【０００８】
また、上記外郭部５ａの光透過部１１周囲より壁状のリブ１６が突設されると共に、緩衝部材１３の開口部１５の大きさを外郭部５ａの光透過部１１の開口領域以下とするのが好ましく、この場合、壁状のリブ１６によって、転倒や落下に対する外郭部５ａの耐久性を確保できると共にＬＥＤ表示の横映りを効果的に防止できるようになる。
【０００９】
また、上記外郭部５ａと緩衝部材１３との間に隙間Ｇを設けるのが好ましく、この場合、外郭部５ａと緩衝部材１３の間のスペースＳが隙間Ｇの分だけさらに大きくなるので、外郭部５ａが変形した場合にプリント基板１０もしくはＬＥＤ１４が破損するのを確実に防止できるようになる。
【発明の効果】
【００１０】
本発明に係る可搬式電動工具にあっては、外郭部からの衝撃を緩衝部材が吸収し、プリント基板及びＬＥＤを保護でき、小型軽量化が容易になると共に、緩衝部材によって隣の光透過部へ光が漏れる現象（ＬＥＤ表示の横映り）を防止でき、ＬＥＤ表示を見やすくした表示設定部が得られるものである。
【発明を実施するための最良の形態】
【００１１】
以下、本発明を添付図面に示す実施形態に基いて説明する。
【００１２】
図２は本発明の可搬式電動工具６（以下「電動工具６」と略称する。）の概略図、図３は斜視図、図４は要部拡大図を示す。
【００１３】
この電動工具６は、インパクト工具、電動ドリルドライバー等であり、モータ１と、モータ１の回転を減速伝達する駆動部２と、駆動部２の回転出力を出力する出力軸３と、モータ１の回転を指示するスイッチ部４と、モータ１の回転信号を出力する回転センサ１７と、回転センサ１７からの信号及びスイッチ部４によりモータ１の回転を制御する制御回路１８と、電動工具６の状態や設定をプリント基板１０上のＬＥＤ１４にて表示するための表示設定部９とを備えている。
【００１４】
ハウジング５は、手で把持するグリップ部７にスイッチ部４のトリガー４ａが設けられ、グリップ部７の上端部に、モータ１、駆動部２、出力軸３の一部が内装されたシリンダー部８が設けられ、グリップ部７の下端部に電池パック装着部１９が着脱自在に取り付けられている。図中の２０は電池パック装着部１９の着脱操作ボタンである。
【００１５】
本例では、表示設定部９及び制御回路１８は、電池パック装着部１９に近いハウジング５の前方突出部５ｂに配置されているが、例えばモータ１後方のハウジング５側に配置してもよいものである。また電動工具６のモードを切り換える操作部１２（図３）を表示設定部９の領域内に設けているが、表示設定部９とは別の位置に設けてもよいものである。
【００１６】
上記制御回路１８は、モータ１の最大回転数を制御するためのマイクロコンピュータで構成されており、制御回路１８内のプリント基板１０上にＬＥＤ１４が実装されている。なお図１中のＤはＬＥＤ１４の照射範囲を示している。
【００１７】
上記表示設定部９を覆う外郭部５ａ（表示パネル）は、図１に示すように、光が透過する光透過部１１を備えている。本例では外郭部５ａはハウジング５の一部を構成している。この外郭部５ａは遮光性材料からなり、ＬＥＤ１４と対向する部位が開口しており、この開口が光透過部１１となっている。
【００１８】
ここで、本発明においては、上記外郭部５ａはプリント基板１０から所定のスペースＳをあけて配置され、このスペースＳ内に絶縁性の緩衝部材１３が介在されている。絶縁性の緩衝部材１３は例えばシリコンゴムからなり、振動，衝撃等からプリント基板１０及びＬＥＤ１４を保護する働きをする。この緩衝部材１３にはＬＥＤ１４からの光を該ＬＥＤ１４と対向する外郭部５ａの光透過部１１のみに届くようにするための開口部１５が設けられている。この開口部１５はＬＥＤ１４からの光が隣接する光透過部１１には届かないような大きさを有している。つまり、プリント基板１０上のＬＥＤ１４からの光をプリント基板１０の垂直方向に光を遮ることのないように緩衝部材１３の開口部１５が配置されており、更にその垂直方向には、表示設定部９の外郭部５ａの光透過部１１が配置されており、これによりＬＥＤ１４の光が光透過部１１を介して外へ届くようになっている。さらに、制御回路１８へのゴミ等の混入を防ぐために、外郭部５ａの光透過部１１には透明もしくは半透明の表皮フィルム２１、もしくはラベルが貼着してある。
【００１９】
ここで、上記外郭部５ａとプリント基板１０間のスペースＳは、表示部の外郭部５ａが落下や振動等により変形する恐れのある量以上、つまり変形量相当の幅とされる。本例では、外郭部５ａと緩衝部材１３との間に隙間Ｇが生じるように、緩衝部材１３の厚みが設定されている。なお、スペースＳの幅は緩衝部材１３の厚み以上であればよく、外郭部５ａと緩衝部材１３との間の隙間Ｇは必ずしも設ける必要はない。
【００２０】
しかして、プリント基板１０と外郭部５ａの間に設けたスペースＳに絶縁性の緩衝部材１３を介在させたので、外郭部５ａからの衝撃を緩衝部材１３が吸収し、プリント基板１０及びＬＥＤ１４を保護できる。従って、従来のようにプリント基板１０もしくはＬＥＤ１４の破壊を防止するために外郭部５ａの強度、プリント基板１０の強度、ＬＥＤ１４の接着強度をそれぞれ高める必要がなくなり、小型軽量化が容易となる。また緩衝部材１３に設けた開口部１５を介してＬＥＤ１４からの光をこれと対向する外郭部５ａの光透過部１１のみに届くようにしたので、緩衝部材１３の開口部１５によってＬＥＤ１４の光が遮られることがなく、またＬＥＤ１４の光が隣接する光透過部１１に届かないように開口部１５の大きさを設定することで、隣の光透過部１１へ光が漏れる現象（ＬＥＤ表示の横映り）を防ぐことができ、表示を見えやすくすることができる。
【００２１】
なお、前記実施形態では、外郭部５ａの光透過部１１を図１に示すような単なる開口（孔）で形成したが、これに限らず、図５に示すように、光透過部１１周囲から壁状のリブ１６を突設するようにしてもよい。図中のＤはＬＥＤ１４の照射範囲を示している。この壁状のリブ１６によって、転倒や落下に対する外郭部５ａの耐久性を確保できるようになる。また本例では、図１の場合と同様、ＬＥＤ１４の光の照射範囲が、隣接するＬＥＤ１４の垂直方向にある外郭部５ａの光透過部１１へ届かないように、緩衝部材１３を配置すると共に、緩衝部材１３の開口部１５の大きさを外郭部５ａの光透過部１１の開口領域以下としている。これにより、ＬＥＤ表示の横映りを効果的に防止でき、表示を一層見えやすくすることができる。さらに本例では、壁状のリブ１６の下端部と緩衝部材１３との間に隙間Ｇを設けている。これにより、外郭部５ａと緩衝部材１３の間のスペースＳは緩衝部材１３の厚みよりも隙間Ｇ分だけ大きくなり、衝撃によって図６の矢印Ａで示す方向に外郭部５ａが変形した場合でも、壁状のリブ１６がプリント基板１０やＬＥＤ１４に接触することがなく、プリント基板１０もしくはＬＥＤ１４が破損するのを確実に防止できるようになる。
【００２２】
本発明に係る可搬式の電動工具６は、ＬＥＤ表示を行なう表示設定部９を備えたものに広く適用されるものである。
【図面の簡単な説明】
【００２３】
【図１】本発明の一実施形態の表示設定部を説明する断面図である。
【図２】同上の表示設定部を備えた可搬式電動工具の概略側面図である。
【図３】同上の可搬式電動工具の斜視図である。
【図４】同上の可搬式電動工具の下半部の断面図である。
【図５】他の実施形態の断面図である。
【図６】同上の外郭部が変形した場合の説明図である。
【図７】従来例の表示設定部の説明図である。
【図８】他の従来例の表示設定部の説明図である。
【符号の説明】
【００２４】
１  モータ
２  駆動部
４  スイッチ部
５  ハウジング
５ａ  外郭部
６  電動工具
９  表示設定部
１０  プリント基板
１１  光透過部
１３  緩衝部材
１４  ＬＥＤ
１５  開口部
１６  リブ
Ｓ  スペース
Ｇ  隙間
【図１】
2006000971.tif 000003
【図２】
2006000971.tif 000004
【図３】
2006000971.tif 000005
【図４】
2006000971.tif 000006
【図５】
2006000971.tif 000007
【図６】
2006000971.tif 000008
【図７】
2006000971.tif 000009
【図８】
2006000971.tif 000010